【手続補正書】
【提出日】平成30年9月21日(2018.9.21)
【手続補正１】
【補正対象書類名】明細書
【補正対象項目名】００５０
【補正方法】変更
【補正の内容】
【００５０】
図８は、第２の実施の形態の表示装置のハードウェア構成の一例を示す図である。
表示装置１００は、制御ユニット１１０によって装置全体が制御されている。
制御ユニット１１０は、ＣＰＵ１１１と、ＲＡＭ（Random Access Memory）１１２と、ＲＯＭ（Read Only Memory）１１３とを備え、複数の周辺機器とがバス１１９を介して相互に信号を出入力可能に接続されている。
【手続補正２】
【補正対象書類名】明細書
【補正対象項目名】００５３
【補正方法】変更
【補正の内容】
【００５３】
ＲＯＭ１１３は、読み出し専用の半導体記憶装置で、ＯＳのプログラムと、アプリケーションプログラム、書き替えをしない固定データが格納される。また、ＲＯＭ１１３の代わり、あるいはＲＯＭ１１３に加えて、二次記憶装置としてフラッシュメモリ等の半導体記憶装置を使用することもできる。
バス１１９に接続されている周辺機器としては、表示用ドライバ１１４、光源ドライバ１１５、ＰＤＬＣドライバ１１６、入出力インタフェース１１７、通信インタフェース１１８がある。
【手続補正３】
【補正対象書類名】明細書
【補正対象項目名】００５４
【補正方法】変更
【補正の内容】
【００５４】
表示用ドライバ１１４には、ＬＣＤパネル１２０が接続されている。表示用ドライバ１１４は、ＬＣＤパネル１２０に画像信号を出力して画像を表示する。
光源ドライバ１１５には、光源１４０が接続されている。光源ドライバ１１５は、光源１４０を駆動し、ＰＤＬＣ層１３３に入射する光の輝度を制御する。
ＰＤＬＣドライバ１１６には、導光部１３０が接続されている。ＰＤＬＣドライバ１１６は、導光部１３０に形成される領域電極に駆動電圧を印加することによって、ＰＤＬＣ層１３３に電場を印加する。
【手続補正４】
【補正対象書類名】明細書
【補正対象項目名】００５８
【補正方法】変更
【補正の内容】
【００５８】
表示装置１００は、信号処理部１５０が画像信号を入力し、画像信号に基づいて、表示用ドライバ１１４、光源ドライバ１１５及びＰＤＬＣドライバ１１６を駆動する信号を生成する。信号処理部１５０は、画像処理部１５１、タイミング生成部１５２、画像解析部１５３、光源データ記憶部１５４及び駆動パターン決定部１５５を有する。画像処理部１５１、タイミング生成部１５２、画像解析部１５３及び駆動パターン決定部１５５は、例えば、ＣＰＵ１１１などのプロセッサである。光源データ記憶部１５４は、例えば、ＲＡＭ１１２またはＲＯＭ１１３に確保した記憶領域として実現できる。
【手続補正５】
【補正対象書類名】明細書
【補正対象項目名】００６７
【補正方法】変更
【補正の内容】
【００６７】
画像解析部１５３は、順次入力する画像信号ＤＥを取得し、１領域分の信号が揃った時点で要求輝度値を算出する。駆動パターン決定部１５５は、要求輝度値に基づき、駆動パターンを決定する。領域に対応する画像信号ＤＥの取得から駆動パターン決定までの処理は、表示用ドライバ１１４が同じ領域について画像走査を行っている期間に実行する。駆動パターン決定部１５５は、決定した駆動パターンを用いて、ＰＤＬＣドライバ１１６及び光源ドライバ１１５を制御する。
【手続補正６】
【補正対象書類名】明細書
【補正対象項目名】００７３
【補正方法】変更
【補正の内容】
【００７３】
以下、駆動パターンの一例として、すべての領域の要求輝度が同じであった場合について説明する。駆動パターン決定部１５５は、すべての領域の輝度が均一となるように駆動パターンを決定する。
図１１は、第２の実施の形態の表示装置の駆動パターンの一例を示す図である。図１１の縦方向の列は、領域ＣＨ１，・・・，ＣＨ１０を示し、横方向の行は、経過時間を示す。各領域ＣＨ１，・・・，Ｈ１０を示す行において、何も記載されていない時間帯は、当該領域を透過状態にしている期間である。また、斜線で示す時間帯は、当該領域が散乱状態に制御されている時間帯である。光源電流は、光源１４０に供給する駆動電流を示す。また、太点線は、画像走査を示す。
【手続補正７】
【補正対象書類名】明細書
【補正対象項目名】００７７
【補正方法】変更
【補正の内容】
【００７７】
駆動パターン決定部１５５は、輝度アップ期間において、各領域の輝度アップを図る駆動パターンを決定する。図１１の例では、光源１４０に最も近い領域ＣＨ１０を走査期間ｔｓの間、散乱状態としたときに得られる輝度を基準とし、全領域の輝度を均一にするための駆動パターンを決定する。駆動パターン決定部１５５は、例えば、領域が主点灯期間に得られる輝度を輝度分布テーブルに基づいて算出する。そして、算出した領域の輝度と、基準の輝度との差に基づき、輝度アップ期間における領域の散乱時間を算出する。図１１に示す駆動パターンでは、光源１４０からの距離が最も遠い領域ＣＨ１の散乱時間ｔｂ１が最大である。そして、領域ＣＨ１，ＣＨ２，ＣＨ３，・・・，ＣＨ９の順に散乱時間ｔｂ１＞ｔｂ２＞ｔｂ３＞・・・＞ｔｂ９と、散乱時間を減少させている。ＰＤＬＣドライバ１１６は、駆動パターンに基づき、領域ＣＨ１，・・・，ＣＨ１０を順次散乱状態に制御し、輝度アップを図る。なお、図１１の例では、輝度アップ期間における光源電流を主点灯期間における電流値と同じにしているが、電流値は適宜設定される。例えば、輝度アップを図るため、輝度アップ期間における光源電流を主点灯期間より大きくすることもできる。このとき、輝度アップされる領域ＣＨ９から領域ＣＨ１が、領域ＣＨ１０の主点灯期間におけるバックライト光の輝度を超えるときは、領域ＣＨ１０について散乱時間を設けて輝度アップを行う。
【手続補正８】
【補正対象書類名】明細書
【補正対象項目名】００８０
【補正方法】変更
【補正の内容】
【００８０】
図１２の太点線は、領域ＣＨ１，・・・，ＣＨ１０を光源１４０の輝度と、領域電極の駆動条件を同じにして駆動したときに得られる光源輝度分布を示している。光源１４０から遠くなるにしたがって、輝度が低下している。図１２に示すように、光源１４０から距離に応じた輝度の低下量に基づいて、低下量を補正する駆動パターンを算出し、領域ＣＨ１，・・・，ＣＨ１０を駆動する。これにより、光源１４０から離れた領域の輝度をアップし、実線で示すバックライト輝度分布を得ることができる。
【手続補正９】
【補正対象書類名】明細書
【補正対象項目名】００８４
【補正方法】変更
【補正の内容】
【００８４】
図１３において、例えば、各々のバックライト走査期間が１フレームとされる。
ここで、領域電極の下電極１３５側には、−Ｖ［Ｖ］と＋Ｖ［Ｖ］の電圧がフレームごとに反転する電圧Ｖｃｏｍが供給される。領域ＣＨ１，・・・，ＣＨ１０は、Ｖｃｏｍと極性が反対の電圧が印加された期間において、対応するＰＤＬＣ１３３１に２＊Ｖ［Ｖ］の電圧が印加される。このとき、ＰＤＬＣ１３３１は、散乱状態となる。一方、Ｖｃｏｍと同じ電圧が印加されているときは、ＰＤＬＣ１３３１に印加される電圧は０［Ｖ］である。このとき、ＰＤＬＣ１３３１は、透過状態になる。
【手続補正１０】
【補正対象書類名】明細書
【補正対象項目名】００９３
【補正方法】変更
【補正の内容】
【００９３】
第１光源６１は、光変調層４の第１側面の近傍に配置され、第１側面から光変調層４内に進行する光を発光する。図７に示したように、第１光源６１から分割領域４ｄに入射する光の輝度を基準として、分割領域４ｃ、分割領域４ｂ、分割領域４ａの順に輝度が低下する。第１光源６１は、制御部７１に接続し、制御部７１によって発光のオン・オフと、発光時の光量が制御される。
【手続補正１１】
【補正対象書類名】明細書
【補正対象項目名】００９４
【補正方法】変更
【補正の内容】
【００９４】
第２光源６２は、第１側面と対向する第２側面の近傍に配置され、第２側面から光変調層４内に進行する光を発光する。第１光源６１の光の進行方向と、第２光源６２の光の進行方向は、互いに逆方向となる。第２光源６２から分割領域４ａに入射する光の輝度を基準として、分割領域４ｂ、分割領域４ｃ、分割領域４ｄの順に輝度が低下する。第２光源６２は、制御部７１に接続し、制御部７１によって発光のオン・オフと、発光時の光量が制御される。
【手続補正１２】
【補正対象書類名】明細書
【補正対象項目名】０１０６
【補正方法】変更
【補正の内容】
【０１０６】
第２光源２４２は、導光部１３０の第２側面の近傍に配置される。第２光源２４２は、導光部１３０のＸ方向（図１６参照）に延在する線光源であり、均一な光を導光部１３０に向けて発光する。第２光源２４２が発光した光は、途中で散乱されない場合には、領域ＣＨ１，・・・，ＣＨ１０の順にＰＤＬＣ層１３３内を進行する。
【手続補正１３】
【補正対象書類名】明細書
【補正対象項目名】０１０９
【補正方法】変更
【補正の内容】
【０１０９】
また、表示装置２００のハードウェア構成は、図８に示す表示装置１００のハードウェア構成と同様である。ＣＰＵ１１１、ＲＡＭ１１２、ＲＯＭ１１３などを有する制御ユニット１１０を備え、装置全体を制御する。制御ユニット１１０は、ＬＣＤパネル１２０を駆動する表示用ドライバ１１４、第１光源２４１及び第２光源２４２を駆動する光源ドライバ１１５、及び導光部１３０のＰＤＬＣを駆動する領域電極を制御するＰＤＬＣドライバ１１６とバス１１９を介して接続する。制御ユニットがドライバに指示を出力することにより、ＬＣＤパネル１２０、第１光源２４１、第２光源２４２、領域電極を制御することができる。
【手続補正１４】
【補正対象書類名】明細書
【補正対象項目名】０１１４
【補正方法】変更
【補正の内容】
【０１１４】
図１８では、領域における第１光源２４１の光の輝度を太点線で示す。第１光源２４１から導光部１３０に入射する光の輝度は、第１光源２４１からの光が第１側面に入射したときの輝度を基準として、第１側面からの距離に応じて低下する。領域に入射する第１光源２４１からの光の輝度は、ＣＨ１０＞ＣＨ９＞ＣＨ８＞ＣＨ７＞ＣＨ６＞ＣＨ５＞ＣＨ４＞ＣＨ３＞ＣＨ２＞ＣＨ１の順に小さくなる。
【手続補正１５】
【補正対象書類名】明細書
【補正対象項目名】０１１８
【補正方法】変更
【補正の内容】
【０１１８】
図１９は、第４の実施の形態の表示装置の機能構成例を示す図である。図９に示す表示装置１００と同じものには同じ符号を付し、説明は省略する。
表示装置２００では、信号処理部２５０が、画像信号を順次取り込み、表示用信号を生成して、表示用ドライバ１１４を駆動する。また、信号処理部２５０は、画像信号に基づいて、バックライト走査に用いる駆動パターンを生成し、駆動パターンを用いて光源ドライバ２１５及びＰＤＬＣドライバ１１６を駆動する。
【手続補正１６】
【補正対象書類名】明細書
【補正対象項目名】０１１９
【補正方法】変更
【補正の内容】
【０１１９】
光源ドライバ２１５は、第１光源２４１と、第２光源２４２に接続する。光源ドライバ２１５は、駆動パターンに基づいて第１光源２４１に供給する光源電流を制御し、第１光源２４１からＰＤＬＣ層１３３に入射する光の輝度を制御する。また、光源ドライバ２１５は、駆動パターンに基づいて第２光源２４２に供給する光源電流を制御し、第２光源２４２からＰＤＬＣ層１３３に入射する光の輝度を制御する。なお、光源ドライバ２１５は、第１光源２４１と、第２光源２４２にそれぞれ個別に設けるとしてもよい。
【手続補正１７】
【補正対象書類名】明細書
【補正対象項目名】０１２５
【補正方法】変更
【補正の内容】
【０１２５】
図２０は、第４の実施の形態の表示装置のバックライト部分駆動を示す図である。図２０では、第１光源２４１からＰＤＬＣ層１３３に入射する光Ｌ５を太点線で示す。また、第２光源２４２からＰＤＬＣ層１３３に入射する光Ｌ６を一点鎖線で示す。
【手続補正１８】
【補正対象書類名】明細書
【補正対象項目名】０１３１
【補正方法】変更
【補正の内容】
【０１３１】
図２１は、第４の実施の形態の表示装置の駆動パターンの第１実施例を示す図である。図１１と同様に、縦方向は領域ＣＨ１，・・・，ＣＨ１０を示し、横方向は経過時間を示す。領域ＣＨ１，・・・，ＣＨ１０において、何も記載されていない時間帯は、当該領域を透過状態にしている。斜線で示す時間帯は、当該領域を散乱状態に駆動している。また、太点線は、画像走査を示す。ｔｓは、１つの領域を画像走査するのに要する時間を示す。ｔｄは、バックライト走査期間において、領域に割り当てられた割当駆動期間を示す。なお、割当駆動期間では、この領域が散乱状態となるように領域電極を制御することができる。割当駆動期間内における領域の散乱時間は、割当駆動期間を最大として適宜制御される。第１実施例では、領域に対し、バックライト走査期間を全領域に均等に配分した割当駆動期間ｔｄが割り当てられている。
【手続補正１９】
【補正対象書類名】明細書
【補正対象項目名】０１３７
【補正方法】変更
【補正の内容】
【０１３７】
図２２は、第４の実施の形態の表示装置の第１実施例におけるバックライト光の輝度分布を示す図である。
（Ａ）ＬＳ２補正輝度分布は、第１実施例の駆動パターンでバックライト走査を行った場合における第２光源（ＬＳ２）の補正後の輝度分布を説明する図である。
ＬＳ１輝度分布は、第１光源２４１をＬＳ１電流一定として同じ条件で領域を駆動した場合のフレーム期間におけるバックライト光の輝度分布である。ＬＳ２輝度分布は、第２光源２４２をＬＳ２電流一定として同じ条件で領域を駆動した場合の、フレーム期間におけるバックライト光の輝度分布である。全領域を同条件で駆動した場合、入射した光は同様に散乱されるので、図１８に示す輝度分布と同様の輝度分布が得られる。
【手続補正２０】
【補正対象書類名】明細書
【補正対象項目名】０１４１
【補正方法】変更
【補正の内容】
【０１４１】
図２３は、第４の実施の形態の表示装置の駆動パターンの第２実施例を示す図である。図２１と同じものには同じ名称を付し、説明を省略する。また、領域に対応する時間帯の記載と、太点線が画像走査を示すことも図２１と同様である。
【手続補正２１】
【補正対象書類名】明細書
【補正対象項目名】０１５４
【補正方法】変更
【補正の内容】
【０１５４】
なお、上記の実施例では、図１８に示すように、領域に入射する光の輝度と、光が入射する入射面からの距離との関係が、第１光源２４１と、第２光源２４２とで同様である場合について説明した。図１８の例では、第１光源２４１の輝度分布と、第２光源２４２の輝度分布は、表示面の中央である領域ＣＨ５と領域ＣＨ６の境界線で線対称となっている。しかしながら、第４の実施の形態の表示装置はこれに限定されない。第４の実施の形態では、領域のバックライト光の輝度の低下量と、駆動対象の光源を所定の駆動電流で駆動したときのバックライト光の輝度分布とに基づき、輝度の低下量を補正する駆動電流を算出する。
【手続補正２２】
【補正対象書類名】明細書
【補正対象項目名】０１５５
【補正方法】変更
【補正の内容】
【０１５５】
このように、第１実施例、第２実施例及び第３実施例では、光源の駆動電流を制御してバックライト光の輝度の均一化を図る。しかしながら、第４の実施の形態の表示装置の駆動パターンはこれに限定されない。以下では、第４の実施の形態の表示装置と同様の構成を有する表示装置が他の駆動パターンを用いてバックライト制御を行う実施の形態について説明する。なお、以下で説明する実施の形態の表示装置は、図１６に示す表示装置２００と同様の構成である。導光部１３０の対向する側面の近傍にそれぞれ第１光源２４１と第２光源２４２が配置される。また、第１光源２４１及び第２光源２４２の輝度分布及び合計輝度は、図１８と同様である。
【手続補正２３】
【補正対象書類名】明細書
【補正対象項目名】０１５７
【補正方法】変更
【補正の内容】
【０１５７】
図２７は、第５の実施の形態の表示装置における駆動パターンの一例を示す図である。図２１と同じものには同じ名称を付し、説明を省略する。また、領域に対応する時間帯の記載と、太点線が画像走査を示すことも図２１と同様である。図２７は、図１８に示すように、第１光源２４１と第２光源２４２の合計輝度が、第１光源２４１及び第２光源２４２の中間にある中央部分の領域で低くなる場合の一例である。
【手続補正２４】
【補正対象書類名】明細書
【補正対象項目名】０１６６
【補正方法】変更
【補正の内容】
【０１６６】
図２９は、第６の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【手続補正２５】
【補正対象書類名】明細書
【補正対象項目名】０１６８
【補正方法】変更
【補正の内容】
【０１６８】
図２９の例では、第１光源２４１に近く、入射する光の輝度が高い領域ＣＨ７，ＣＨ８，ＣＨ９，ＣＨ１０の空き期間を入射する光の輝度の低い領域ＣＨ５，ＣＨ６に割り当てる。図２９の駆動パターンでは、領域ＣＨ５には、領域ＣＨ７，ＣＨ８，ＣＨ９の空き期間が割り当てられる。同様に、領域ＣＨ６には、領域ＣＨ１０の空き期間が割り当てられる。このように、空き期間を入射する光の輝度の低い領域ＣＨ５，ＣＨ６に割り当てることにより、領域ＣＨ５，ＣＨ６における散乱時間を増やすことができる。これにより、領域ＣＨ５，ＣＨ６のバックライト光の輝度アップが可能となる。
【手続補正２６】
【補正対象書類名】明細書
【補正対象項目名】０１７０
【補正方法】変更
【補正の内容】
【０１７０】
図３０は、第７の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【手続補正２７】
【補正対象書類名】明細書
【補正対象項目名】０１７２
【補正方法】変更
【補正の内容】
【０１７２】
輝度アップ期間には、領域に入射する光の合計輝度に応じて各領域の散乱時間が制御される。領域に入射する光の合計輝度は、第１光源２４１の発光輝度と当該領域の第１側面からの距離、及び第２光源２４２の発光輝度と当該領域の第２側面からの距離に応じて決まる。図３０に示す駆動パターンは、領域に入射する光の合計輝度が図１８に示す輝度分布である場合のパターンである。輝度アップ期間では、入射する光の合計輝度が低い領域ＣＨ５及び領域ＣＨ６が長くなるように散乱時間を制御している。
【手続補正２８】
【補正対象書類名】明細書
【補正対象項目名】０１７６
【補正方法】変更
【補正の内容】
【０１７６】
図３１は、第８の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【手続補正２９】
【補正対象書類名】明細書
【補正対象項目名】０１７９
【補正方法】変更
【補正の内容】
【０１７９】
ＬＳ１輝度分布及びＬＳ２輝度分布は、図１８に示す輝度分布で入射し、同じ条件で駆動するＰＤＬＣ層１３３を介して出射される光の輝度分布を示す図である。
ＬＳ１補正輝度分布は、第８の実施の形態の駆動パターンで、領域を散乱状態に駆動したときに得られる第１光源２４１から入射した光が出射面１３９から出射されるバックライト光の輝度分布を示す。ＬＳ２補正輝度分布は、第８の実施の形態の領域を散乱状態に駆動したときに得られる第２光源２４２から入射した光が出射面１３９から出射されるバックライト光の輝度分布を示す。
【手続補正３０】
【補正対象書類名】明細書
【補正対象項目名】０１８４
【補正方法】変更
【補正の内容】
【０１８４】
図３３は、第９の実施の形態の表示装置における駆動パターンの一例を示す図である。図２１と同じものには同じ名称を付し、説明を省略する。また、領域に対応する時間帯の記載と、太点線が画像走査を示すことも図２１と同様である。第９の実施の形態の駆動パターンでは、バックライト走査期間を領域に均等に配分し、割当駆動期間ｔｄを設定している。そして、領域に入射する光の輝度に基づいて、第１光源２４１または第２光源２４２を選択し、選択した光源の光源電流を制御する。
【手続補正３１】
【補正対象書類名】明細書
【補正対象項目名】０１８５
【補正方法】変更
【補正の内容】
【０１８５】
図３３に示す駆動パターンでは、図３２と同様に、第２光源２４２に近い側の領域ＣＨ１〜ＣＨ５の散乱時間には、第２光源２４２を点灯し、第１光源２４１を消灯する。また、第１光源２４１に近い側の領域ＣＨ６〜ＣＨ１０の散乱時間には、第１光源２４１を点灯し、第２光源２４２を消灯する。また、第２光源２４２を選択している領域ＣＨ１，ＣＨ２，ＣＨ３，ＣＨ４，ＣＨ５は、第２側面からの距離に応じて入射する第２光源２４２からの光の輝度がＣＨ１＞ＣＨ２＞ＣＨ３＞ＣＨ４＞ＣＨ５の順に低下する。第２光源２４２のＬＳ２電流は、この輝度の低下量に合わせ、ｉ２１（ＣＨ１）＜ｉ２２（ＣＨ２）＜ｉ２３（ＣＨ３）＜ｉ２４（ＣＨ４）＜ｉ２５（ＣＨ５）の順に増加させる。なお、ｉ２１は、領域ＣＨ１の割当駆動期間におけるＬＳ２電流である。ｉ２２〜ｉ２５もそれぞれ（）に示す領域の割当駆動期間におけるＬＳ２電流である。同様に、第１光源２４１のＬＳ１電流は、領域に入射する第１光源２４１からの光の輝度に応じて制御される。第１光源２４１のＬＳ１電流は、ｉ１６（ＣＨ６）＞ｉ１７（ＣＨ７）＞ｉ１８（ＣＨ８）＞ｉ１９（ＣＨ９）＞ｉ１１０（ＣＨ１０）の順に減少させる。なお、ｉ１６は、領域ＣＨ６の割当駆動期間におけるＬＳ１電流である。ｉ１７〜ｉ１１０もそれぞれ（）に示す領域の割当駆動期間におけるＬＳ１電流である。
【手続補正３２】
【補正対象書類名】明細書
【補正対象項目名】０１８９
【補正方法】変更
【補正の内容】
【０１８９】
図３４は、第１０の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【手続補正３３】
【補正対象書類名】明細書
【補正対象項目名】０１９６
【補正方法】変更
【補正の内容】
【０１９６】
図３６は、第１１の実施の形態の表示装置における駆動パターンの一例を示す図である。図２１と同じものには同じ名称を付し、説明を省略する。また、領域に対応する時間帯の記載と、太点線が画像走査を示すことも図２１と同様である。図３６に示す一例では、領域ＣＨ５，ＣＨ６に対して輝度上げを行う。
【手続補正３４】
【補正対象書類名】明細書
【補正対象項目名】０２００
【補正方法】変更
【補正の内容】
【０２００】
図３７は、第１２の実施の形態の表示装置のバックライト部分駆動を示す図である。
図３７では、第１光源２４１からＰＤＬＣ層１３３に入射する光Ｌ７を太点線で示す。また、第２光源２４２からＰＤＬＣ層１３３に入射する光Ｌ８を一点鎖線で示す。
【手続補正３５】
【補正対象書類名】明細書
【補正対象項目名】０２０４
【補正方法】変更
【補正の内容】
【０２０４】
図３８は、第１２の実施の形態の表示装置における駆動パターンの一例を示す図である。図２１と同じものには同じ名称を付し、説明を省略する。また、領域に対応する時間帯の記載と、太点線が画像走査を示すことも図２１と同様である。第１２の実施の形態の駆動パターンでは、第１光源２４１から入射する光を散乱する第１の領域と、第２光源２４２から入射する光を散乱する第２の領域を、同時に駆動する。
【手続補正３６】
【補正対象書類名】明細書
【補正対象項目名】０２０６
【補正方法】変更
【補正の内容】
【０２０６】
図３８の例では、領域ＣＨ１，ＣＨ２の組の画像走査（２ｔｓ）が終了した時点で、領域ＣＨ１，ＣＨ２の割当駆動期間（２ｔｄ）が開始される。なお、２ｔｓは、２領域分の画像走査が行われる期間を示す。２ｔｄは、バックライト走査期間を全領域に均等に割り当てた場合の１領域当たりの割当駆動期間（ｔｄ）の２倍の期間が割り当てられることを示す。また、各組の割当駆動期間における第１光源２４１のＬＳ１電流と、第２光源２４２のＬＳ２電流は、各組の領域に応じて制御される。領域ＣＨ１，ＣＨ２の組では、領域ＣＨ１は、隣接する第２光源２４２からの光を入射するので、ＬＳ２電流ｉ２１は他の選択される領域より低い。一方、領域ＣＨ２は、離れた第１光源２４１からの光を入射するので、ＬＳ１電流ｉ１２は他の選択される領域より高い。
【手続補正３７】
【補正対象書類名】明細書
【補正対象項目名】０２１７
【補正方法】変更
【補正の内容】
【０２１７】
図４１は、第１３の実施の形態の表示装置の各機能部の駆動タイミングを示す図である。図１０と同じものには、同じ名称を付し、説明は省略する。
表示装置３００では、信号処理部３５０に入力する画像信号ＤＥは、フレームメモリ３５１に逐次格納される。１フレームにおける画像走査期間が終了する時点で、フレームメモリ３５１には１フレーム分の画像信号が格納される。画像解析部３５３は、例えば、垂直ブランキング期間に、フレームメモリ３５１に格納される画像信号を解析し、バックライト光の輝度プロファイルを作成する。駆動パターン決定部３５４は、輝度プロファイルと、光源データ記憶部２５４に記憶される輝度分布テーブルとに基づき、駆動パターンを決定する。次のフレーム期間では、画像処理部３５２がフレームメモリ３５１に格納する画像信号を信号処理した表示用信号を表示用ドライバ１１４に出力する。また、駆動パターン決定部３５４は、決定した駆動パターンに基づき、ＰＤＬＣドライバ１１６及び光源ドライバ２２５を制御する。表示用ドライバ１１４、ＰＤＬＣドライバ１１６及び光源ドライバ２２５は、タイミング生成部１５２が生成するタイミング信号に基づいて駆動する。表示用ドライバ１１４は、タイミング信号に同期して画像走査を行う。ＰＤＬＣドライバ１１６及び光源ドライバ２２５は、タイミング信号に同期してバックライト走査を行う。ＰＤＬＣドライバ１１６は、領域電極を駆動して領域を散乱状態にし、領域に入射した光を散乱させる。光源ドライバ２２５は第１光源２４１及び第２光源２４２を駆動し、領域に入射する光を発光する。
【手続補正３８】
【補正対象書類名】明細書
【補正対象項目名】０２１９
【補正方法】変更
【補正の内容】
【０２１９】
図４２の例では、下画面の領域ＣＨ６，ＣＨ７，ＣＨ８，ＣＨ９，ＣＨ１０は暗い画像である。一方、上画面の領域ＣＨ１，ＣＨ２，ＣＨ３，ＣＨ４，ＣＨ５は明るい画像である。したがって、画像解析部３５３が算出するバックライトの輝度プロファイルでは、領域ＣＨ１，ＣＨ２，ＣＨ３，ＣＨ４，ＣＨ５の輝度は高く、領域ＣＨ６，ＣＨ７，ＣＨ８，ＣＨ９，ＣＨ１０の輝度は低くなる。駆動パターン決定部３５４は、このような輝度プロファイルに基づき、電力的に最も効率のよい駆動パターンとして、図３３に示す第９の実施の形態の駆動パターンを選択する。第９の実施の形態の駆動パターンは、領域に近い側の光源を片側点灯し、領域における光源からの距離に応じて光源を駆動する光源電流を制御する。
【手続補正３９】
【補正対象書類名】明細書
【補正対象項目名】０２２０
【補正方法】変更
【補正の内容】
【０２２０】
図４３は、第１３の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【手続補正４０】
【補正対象書類名】明細書
【補正対象項目名】０２２１
【補正方法】変更
【補正の内容】
【０２２１】
図４３に示す駆動パターンは、第２光源２４２に近い領域ＣＨ１，ＣＨ２，ＣＨ３，ＣＨ４，ＣＨ５は第２光源２４２を片側点灯する。一方、第１光源２４１に近い領域ＣＨ６，ＣＨ７，ＣＨ８，ＣＨ９，ＣＨ１０では、第１光源２４１を片側点灯する。図４２に示した表示画面に表示される画像では、領域ＣＨ１，ＣＨ２，ＣＨ３，ＣＨ４，ＣＨ５に対応する画像が領域ＣＨ６，ＣＨ７，ＣＨ８，ＣＨ９，ＣＨ１０に対応する画像よりも明るいので、輝度プロファイルでは領域ＣＨ１，ＣＨ２，ＣＨ３，ＣＨ４，ＣＨ５は領域ＣＨ６，ＣＨ７，ＣＨ８，ＣＨ９，ＣＨ１０よりも輝度が高い。輝度プロファイルでは、領域ＣＨ１，ＣＨ２，ＣＨ３，ＣＨ４，ＣＨ５は輝度が高いので、これらの領域に割り当てられた割当駆動期間に点灯する第２光源２４２のＬＳ２電流を高くする。また、領域ＣＨ１，ＣＨ２，ＣＨ３，ＣＨ４，ＣＨ５と、第２光源２４２からの距離が遠くなるにしたがって、ＬＳ２電流をｉ２１（ＣＨ１）＜ｉ２２（ＣＨ２）＜ｉ２３（ＣＨ３）＜ｉ２４（ＣＨ４）＜ｉ２５（ＣＨ５）の順にＬＳ２電流が大きくなるように制御する。一方、図４２に示した表示画面に表示される画像では、領域ＣＨ６，ＣＨ７，ＣＨ８，ＣＨ９，ＣＨ１０に対応する画像が領域ＣＨ１，ＣＨ２，ＣＨ３，ＣＨ４，ＣＨ５に対応する画像よりも暗いので、輝度プロファイルでは、領域ＣＨ６，ＣＨ７，ＣＨ８，ＣＨ９，ＣＨ１０は領域ＣＨ１，ＣＨ２，ＣＨ３，ＣＨ４，ＣＨ５よりも輝度が低い。領域に割り当てられた割当駆動期間に点灯する第１光源２４１のＬＳ１電流をＬＳ２電流と比べて、低く設定する。また、領域ＣＨ６，ＣＨ７，ＣＨ８，ＣＨ９，ＣＨ１０と、第１光源２４１からの距離が近くなるにしたがって、ＬＳ１電流をｉ１６（ＣＨ６）＞ｉ１７（ＣＨ７）＞ｉ１８（ＣＨ８）＞ｉ１９（ＣＨ９）＞ｉ１１０（ＣＨ１０）の順にＬＳ１電流が小さくなるように制御する。なお、この場合においても、第２の実施の形態、第５の実施の形態乃至第７の実施の形態と同様に、ＬＳ１及びＬＳ２の電流を一定とし、各々の領域の点灯時間を制御することにより輝度を制御してもよい。
【手続補正４１】
【補正対象書類名】明細書
【補正対象項目名】０２２３
【補正方法】変更
【補正の内容】
【０２２３】
合計輝度分布は、領域ＣＨ１，ＣＨ２，ＣＨ３，ＣＨ４，ＣＨ５のＬＳ２補正輝度分布と、領域ＣＨ６，ＣＨ７，ＣＨ８，ＣＨ９，ＣＨ１０のＬＳ１補正輝度分布とが合計された輝度分布を示す。図４３に示す駆動パターンでは、第２光源２４２を駆動するＬＳ２電流に対し、第１光源２４１を駆動するＬＳ１電流が低い値に設定されている。このように、輝度プロファイルに基づき、高い輝度が必要ない場合は、光源へ供給する光源電流を低く設定することができる。これにより、光の利用効率が上がり、低電力で駆動することができる。このように、バックライト走査の前に輝度プロファイルを作成し、輝度プロファイルに基づいて駆動パターンを決定することにより、より画像に適した駆動パターンを生成することができる。
【手続補正４２】
【補正対象書類名】明細書
【補正対象項目名】０２３２
【補正方法】変更
【補正の内容】
【０２３２】
（４）開示される発明の一態様は、前記制御部は、前記分割領域を同じ駆動条件で散乱状態にしたときに前記分割領域から出射される光の輝度を登録した輝度分布テーブルに基づき、前記第１の期間において前記分割領域から出射される光の輝度が要求輝度に不足するときは、不足分に応じて散乱時間を制御する、
（１）に記載の表示装置である。
【手続補正４３】
【補正対象書類名】明細書
【補正対象項目名】０２３５
【補正方法】変更
【補正の内容】
【０２３５】
（７）開示される発明の一態様は、前記制御部は、前記画像表示パネルによる画像走査が終了した順に、前記分割領域を散乱状態にする、
（６）に記載の表示装置である。
【手続補正４４】
【補正対象書類名】明細書
【補正対象項目名】０２３８
【補正方法】変更
【補正の内容】
【０２３８】
（１０）開示される発明の一態様は、前記制御部は、
前記バックライト走査期間を前記分割領域に等分に配分した割当駆動期間を設定し、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量に基づき、要求輝度を得るための散乱時間が、前記割当駆動期間より短い第１の分割領域における空き時間を、前記散乱時間が前記割当駆動期間よりも長い第２の分割領域の散乱時間に割り当てる、
（６）に記載の表示装置である。
【手続補正４５】
【補正対象書類名】特許請求の範囲
【補正対象項目名】請求項４
【補正方法】変更
【補正の内容】
【請求項４】
前記制御部は、前記分割領域を同じ駆動条件で散乱状態にしたときに前記分割領域から出射される光の輝度を登録した輝度分布テーブルに基づき、前記第１の期間において前記分割領域から出射される光の輝度が要求輝度に不足するときは、不足分に応じて散乱時間を制御する、
請求項１に記載の表示装置。
【手続補正４６】
【補正対象書類名】特許請求の範囲
【補正対象項目名】請求項６
【補正方法】変更
【補正の内容】
【請求項６】
フレーム周期で画像が更新される画像表示パネルと、
前記画像表示パネルの背面に配置され、印加された電場に応じて入射した光を散乱する散乱状態、または、前記光を透過する透過状態に切り替わる光変調層と、
前記光変調層の第１の側面から入射して、前記光変調層内を第１の方向に進行する光を発光する第１の光源と、
前記光変調層の前記第１の側面と対向する第２の側面から入射して、前記光変調層内を前記第１の方向と逆の第２の方向に進行する光を発光する第２の光源と、
前記第１の方向及び前記第２の方向に交差する方向に前記光変調層を分割する分割領域ごとに形成され、前記光変調層に前記電場を印加する電極と、
フレーム期間に対応するバックライト走査期間において、前記分割領域を所定の順に選択し、選択した前記分割領域の前記第１の側面からの距離及び前記第２の側面からの距離に基づいて当該分割領域に対応する前記電極を駆動し、前記分割領域ごとに散乱状態を制御する制御部と、
を有する表示装置。
【手続補正４７】
【補正対象書類名】特許請求の範囲
【補正対象項目名】請求項７
【補正方法】変更
【補正の内容】
【請求項７】
前記制御部は、前記画像表示パネルによる画像走査が終了した順に、前記分割領域を散乱状態にする、
請求項６に記載の表示装置。
【手続補正４８】
【補正対象書類名】特許請求の範囲
【補正対象項目名】請求項１０
【補正方法】変更
【補正の内容】
【請求項１０】
前記制御部は、
前記バックライト走査期間を前記分割領域に等分に配分した割当駆動期間を設定し、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量に基づき、要求輝度を得るための散乱時間が、前記割当駆動期間より短い第１の分割領域における空き時間を、前記散乱時間が前記割当駆動期間よりも長い第２の分割領域の散乱時間に割り当てる、
請求項６に記載の表示装置。
【手続補正４９】
【補正対象書類名】図面
【補正対象項目名】図５
【補正方法】変更
【補正の内容】
【図５】
2017156491.tif 000001
【手続補正５０】
【補正対象書類名】図面
【補正対象項目名】図９
【補正方法】変更
【補正の内容】
【図９】
2017156491.tif 000002
【手続補正５１】
【補正対象書類名】図面
【補正対象項目名】図１９
【補正方法】変更
【補正の内容】
【図１９】
2017156491.tif 000003
【手続補正５２】
【補正対象書類名】図面
【補正対象項目名】図４０
【補正方法】変更
【補正の内容】
【図４０】
2017156491.tif 000004